(57)【要約】      （修正有）【課題】幅広い消費者に快適な手紙作成を可能にするレターセットを提供する。【解決手段】防水素材製封筒と、通信文作成用紙と、宛名記載用シールと、防水素材製の宛名記載用シール保護シールと、通信文保護用紙と、封緘用シールとからなるセットの各構成品目を罫線幅拡大化や防水化する。【選択図】図１
0003171880.tif 000002
【実用新案登録請求の範囲】
【請求項１】
セット内の構成品目の罫線幅拡大や防水化等により、近視や老眼、雨天時や臨時の使用者をはじめ幅広い消費者に快適な手紙作成を可能にするレターセット
【考案の詳細な説明】
【技術分野】
【０００１】  本考案は、便箋・封筒その他で構成される、定型または定型外郵便用レターセットに関するものである。
【背景技術】
【０００２】従来の一般的なレターセットは、
（１）各構成品目の文字・文章記入部の罫線幅がある程度決まっており、概して一般的な視力の使用者に適した幅が通例であった。
このため、場合により近視・老眼の使用者には通信文をはじめ文字記入部分の判読が困難な場合があった。
（２）封筒あるいは外装部に関し、概して素材が紙製である製品が大多数であった。
このため防水保護効果がなく、作成完了後の手紙の投函・配達・受取の各過程において万一の水濡れの際に封筒が汚損してしまう場合があった。
（３）大多数が複数通の手紙作成に適した点数の品目がセット販売されている製品であり、一通分の手紙作成に適した製品は一般的には手紙用品を取扱の一部の店舗でのみ入手可能であった。
【考案の開示】
【考案が解決しようとする課題】
【０００３】（１）従来のレターセットの場合、一般的に各構成品目の文字・文章記入部の罫線幅がある程度決まっており、概して一般的な視力の使用者に適した幅が通例であった。
このため、場合により近視・老眼の使用者には通信文をはじめ文字・文章記入部分の判読が困難な場合があった。
従って、当該製品は各構成品目の文字記入部の罫線幅を従来の各種手紙用品よりも大きめに規定する。
これにより、実際に当該製品を使用の場合従来よりも大きめの文字での手紙を作成可能となり、近視や老眼の使用者・受取人でも手紙を快適に筆記、判読可能となる。
（２）封筒あるいは外装部に関し、概して素材が紙製である製品が大多数であった。
このため作成完了後の手紙の投函・配達・受取の際、雨天・降雪時や誤って濡れた手で触ってしまった場合等に封筒が汚損、あるいは封筒の宛名記載部分の水性インクが滲んでしまい判読不能になってしまう場合があった。
従って、当該製品のセット内の封筒を防水素材製にし、さらに封筒の宛名欄記入後に貼付使用の「宛名欄保護用防水シール」を添付する。
これにより、手紙作成完了後の投函・配達・受取の各過程において雨天・降雪、あるいは誤って濡れた手で触ってしまった場合も封筒の汚損の防止が可能となる。
（３）大多数が複数通の手紙作成に適した点数の品目がセット販売されている製品であった。
また、一通分の手紙作成に適したセットがあったとしても、大多数は文具店あるいは雑貨店等の店頭でしか取扱がなかった。
このため、外出時をはじめ急な手紙作成が必要となった際、手紙一通分だけの作成に適したレターセットがすぐに見つからない場合が多く不便であった．
従って、当該製品のセット内容における各構成品目の点数に関し、従来の一般的なレターセット同様の複数通の手紙作成に適した点数によるセットに加えて一通のみの手紙作成に適した点数によるセットも製造・供給する。
これにより、外出先や突発的な必要等の臨時使用の際も使用者が手軽に入手、利用が可能となる。
以上により前述の欠点を解消しようとするものである。
【課題を解決するための手段】
【０００４】本考案は、
（１）当該製品の各構成品目の文字・文章記入部の罫線幅に関し、従来品に準ずるものに加え従来品よりも大きめの間隔に規定の製品も製造する。
これにより、従来より大きめの文字による記入、手紙作成を可能とする。
（２）当該製品のセット内容に関し、
（ａ）防水素材製封筒
（ｂ）宛名欄保護用防水シール
上記二点を必ず含むものとする。
（ａ）  当該製品のセット内の封筒の素材に関し、
・ビニール
・ポリエチレン                          等の防水素材を採用する。
（ｂ）  当該製品を使用の上手紙作成の際、封筒の宛名欄記入完了後に上から宛名欄保護用防水シールを貼付使用するものとする。
（３）当該製品の製造・供給に当たり、臨時に手紙作成の必要に迫られた消費者の実情に充分に配慮した
（ａ）  製品内容での製造
（ｂ）  供給場所での供給                    を行う。
（ａ）  当該製品のセット内容に関し、従来同様の複数通の手紙作成用のセットに加え、一通のみの手紙作成に適したセットも製造・供給する。
（ｂ）  当該製品の供給に際し、文具店・雑貨店をはじめとする従来の一般的な手紙用品・レターセット取扱店に加え、当該製品使用者（および手紙を書く機会がある消費者）が
・外出時に立寄る機会の多い場所
・気軽に立寄ることが可能な場所        においても供給（販売）する。
（例）・郵便局の窓口
・駅売店内
・喫茶店・飲食店内
・コンビニエンスストア店内    等
また、当該製品使用者をはじめ消費者が
・突発的に手紙を書きたくなる可能性が高い場所
においても製品を供給（販売）する。
（例）・待合せに利用される場所内
・空港施設内
・各種遊技施設・レジャースポット内
（遊園地、博物館等）
・各種  催事・イベント会場内
（博覧会、展覧会等）
上記以外にも適切と判断される場所があった場合、随時当該製品を供給（販売）可能とする。
【考案の効果】
【０００５】上述のように、本考案の近視／老眼・雨天時・臨時使用者配慮型レターセットは、
（１）従来のレターセット・手紙用品使用の際よりも大きめの文字での手紙作成が可能である。このため、近視や老眼の使用者・受取人でも手紙を快適に筆記、判読可能となる。また、一般的な視力の使用者・受取人も手紙作成や手紙を読む際の疲れ目を大幅に軽減可能となる。
また、太字の万年筆やボールペン、筆ペン等の筆記用具による記入・手紙作成が可能なため、手紙愛好家の実情・需要により適っている。
（２）手紙作成完了後の投函・配達・受取の各過程において、雨天や降雪、万一濡れた手で触ってしまった際も封筒・外装部の汚損の心配なく安心である。
（３）通常に加え臨時あるいは突発的に手紙作成が必要になった際も手軽に入手（購入）が可能である。
このため、近視や老眼の使用者、雨天時・降雪時や臨時の使用者も手軽に快適に手紙作成が可能となる。
よって、当該製品の製造・供給により忙しい現代社会の手紙愛好者や幅広い消費者の実情に適った製品の供給が可能となる。
【考案を実施するための最良の形態】
【０００６】当該製品の製造・供給に当たり、
（１）各構成品目の文字・文章記入部の罫線幅を、従来の各種手紙製品よりも大きめに規定の上、製造する。
（２）当該製品のセット内容に関し、
・防水素材製封筒
・宛名欄保護用防水シール
以上二点を必ず含むものとする。
（３）当該製品の供給に当たり、従来同様の複数通の手紙作成用のセットに加え、一通の手紙作成用の臨時使用向けセットも製造・供給する。
また供給に際し、従来のレターセットや各種手紙用品取扱店に加え、使用者の突発的あるいは臨時の手紙作成の必要の際に早急、気軽に立寄りが可能な場所においても供給（販売）する。
【実施例】
【０００７】以下、添付図面に従って一実施例を説明する。
１は当該製品構成品目の便箋の一例である。
２は当該製品構成品目のメッセージカードの一例である。
１および２に関しては、
寸法・形状・素材・重量・意匠  他基本条件：
基本的に従来の定型郵便の封筒内に封入の上郵送可能なもの        と規定する。
その上で適宜設定・変更可能とする。
尚、その上で、文字記入部の罫線幅に関し
（１）従来の一般的な便箋・メッセージカードに準ずるもの
（２）罫線幅拡大版
（従来よりも大きめの文字での記入・手紙作成が可能なもの）
を製造・供給する。【０００８】当該製品の品目構成（セット内容）に関し、１および２に関しては
（１）１のみを含むもの（セット製品）
（２）２のみを含むもの（セット製品）
（３）１、２両方を含むもの（セット製品）
上記３点とも製造可能とし、必要に応じて最適なものを随時製造・供給する。【０００９】３は当該製品構成品目の防水素材製封筒の一例である。
３に関し、
素材：
防水性の高い素材（例．ビニール、ポリエチレン等）              と規定する。
また、寸法・形状・重量  他基本条件は、基本的に
（１）定形郵便物として８０円または最適の金額分の切手で郵送可能なもの
と規定する。
尚、場合により、必要に応じて
（２）定型外郵便物として、最適の金額分の切手で郵送可能なもの
も採用可能とする。【００１０】４は当該製品構成品目の手紙保管用封筒の一例である。
当該製品（レターセット）を使用の上作成完了後の手紙が（投函・配達・受取の各過程において）万一雨天・降雪その他の機会により封筒が汚損してしまった場合も、４の使用により手紙受取人は手紙を快適に保管可能である。
また４に関し、
寸法：
基本的に３よりも一回り小さいもの
形状：
３への封入が容易に可能なもの
また３に封入後、郵送または運搬の際に３を破損の危険性のないもの
重量：
従来の定形郵便物用封筒に準ずるものまたはそれより軽量のもの
素材：
郵送に支障のないもの
郵便物の保管に適したもの                                      と規定する。
尚、素材に関しては、３同様の防水性の高い素材であれば受取人が手紙保管の際も汚損を防止、より快適に保管が可能となる。【００１１】５は当該製品構成品目の通信文保護用紙の一例である。
当該製品内の３（防水素材製封筒）は素材の特徴により、薄手の場合は内包の通信文が透けてしまう危険性がある。このため、ある程度濃い目の色合いの通信文保護用紙で便箋・メッセージカードを包装の上封筒に封入することにより、封筒の外側から通信文が透けて見えてしまう事故を防止可能となる。
また、防水素材製封筒は特に薄手の場合内包物が透けてしまう特徴を逆に活かし、色調・模様・絵柄に魅力のある通信文保護用紙を使用することで、手紙作成完了後も封筒の外側から魅力あるデザインを透かし見て楽しむことが可能となる。
尚、５に関しては
寸法および形状：
３への封入に適した大きさに折りたたんだ１または２の包装に適切なもの
素材：
折りたたんだ１または２を包装の上、３に封入した際、１または２に記載の通信文が外側から透けて見えないもの
重量：
定型郵便用の便箋と同程度かまたはより軽いもの                  と規定する。【００１２】６は当該製品構成品目の宛名用シールの一例である。
６の寸法・形状・素材・重量・意匠その他に関しては、基本的に
定形郵便物用の宛名用シールとして適切なもの                    と規定する。
その上で適宜設定・変更可能とする。
尚、場合により定型外郵便物用の宛名用シールとして適切なものも製造可能とする。【００１３】７は当該製品構成品目の宛名欄保護用防水シールの一例である。
７に関しては、
寸法：
６よりも一回り大きく、郵便物の宛名欄の防水保護が充分に可能なもの
素材：
防水性の高い素材（例．ビニール、ポリエチレン等）［３に同じ］  と規定する。
尚、
形状・重量・意匠他基本条件：
適切と判断されるもの                                          とする。【００１４】８は、当該製品構成品目の封緘用シールの一例である。
セット内の封緘用シールに関しては、
素材：
防水性の高い素材（例．ビニール、ポリエチレン等）［３、７に同じ］  と規定する。
尚、
寸法・形状・重量・意匠  他基本条件：
定型または定型外郵便の封緘に適切なもの［従来の封緘用シールに準ずる］
と規定する。【００１５】各構成品目の文字記入部の罫線幅に関しては、
（１）従来の各種手紙用品の罫線幅に準ずるもの
（２）（１）よりも大きめの罫線幅のもの
（従来よりも大きめの文字での文章の記入、手紙作成が可能なもの）
と規定する。
尚、（２）に関しては
（ａ）近視・老眼の使用者にも容易に判読可能な大きさの文字での記入が可能
（ｂ）太字の万年筆やボールペン、細字の筆ペンを使用しての文章記入が可能
上記のような罫線幅が好ましいが、場合により他にも適切と判断されるものがあった場合は適宜採用可能とする。【００１６】当該製品の一セット当たりのセット内容や各構成品目の点数に関しては、
（１）従来のレターセットに準ずる、複数通の手紙作成に適したもの    に加えて
（２）臨時使用の際に利便性の高い、一通の手紙作成に適したもの
も製造・供給する。
尚、（２）に関しては、突然の手紙作成に際し思わぬ書き間違いその他不測の事態の可能性も高いと考えられる。
従って、製造・供給に当たり
セット内容  品目構成：
各構成品目に関し、必要なものに関しては
「一通の手紙作成に必要な点数よりも若干多めの点数」で構成
と規定する。
特に、文字・文章記入部のある構成品目に関しては必ず上記を適用する。【００１７】当該製品の製造・供給に当たり、各製品のセット内容に関し上記１〜８のいずれを、何点ずつ含むかは適宜設定・変更可能とする。
また、上記１〜８以外にも適切と判断される品目があった場合は適宜採用可能とする。【００１８】当該製品の製造・供給に当たり、各構成品目の寸法・形状・重量・素材・意匠  他基本条件に関しては
・特許権
・商標権
・意匠権
・著作権
・知的財産権
その他の権利問題が一切発生しないもののみ採用可能とする。
【図面の簡単な説明】
【００１９】
【図１】本考案の近視／老眼・雨天時・臨時使用者配慮型レターセットの一実施例を示す簡単な図である。
【符号の説明】
【００２０】  １  便箋
２  メッセージカード
３  防水素材製封筒
４  手紙保管用封筒
５  通信文保護用紙
６  宛名欄用シール
７  宛名欄保護用防水シール
８  封緘用シール（台紙付）
９  封緘用シール台紙
１０  封緘用シール本体
【図１】
0003171880.tif 000003
【手続補正書】
【提出日】平成23年4月25日(2011.4.25)
【手続補正１】
【補正対象書類名】実用新案登録請求の範囲
【補正対象項目名】請求項１
【補正方法】変更
【補正の内容】
【請求項１】
・防水素材製封筒
・通信文作成用紙（便箋・葉書・メッセージカード等）
・宛名記載用シール（宛先欄用・送信者欄用）
・宛名記載用シール保護シール（防水素材製）
（宛先欄用・送信者欄用）
・通信文保護用紙
・封緘用シール
上記を基本構成品目とする、セット内の各構成品目の罫線幅拡大や防水化により
0003171880.tif 000004
の使用者をはじめ幅広い消費者に快適な手紙作成を可能にするレターセット